(57)【要約】【課題】凹凸のある卵包装容器に封止フィルムを確実に綺麗に被せる。【解決手段】プラスチック製の卵包装容器の本体部１に鶏卵を収容する。卵包装容器の蓋部２を閉じて、蓋部２に十字形状の封止フィルム４を載せる。封止フィルム４の第１の腕部を、卵包装容器の長手方向の側部に回して、本体部１の複数箇所と蓋部２の複数箇所に仮止めし、本体部１の底部で端同士を接着する。封止フィルム４の第２の腕部を、卵包装容器の短手方向の側部に回して、本体部１の複数箇所と蓋部２の複数箇所に仮止めし、本体部１の底部で端同士を接着する。このようにすることにより、卵包装容器に封止フィルム４を確実に綺麗に被せて封止できる。卵包装容器に凹凸があっても、封止フィルム４にラベルを貼って商品名などの表示ができる。【選択図】図１
2007276858.tif 000002
【特許請求の範囲】
【請求項１】
鶏卵を収容する本体部と、前記本体部とヒンジ部で接続された蓋部と、前記本体部と前記蓋部とを包む十字形状の封止フィルムとを具備するプラスチック製の卵包装容器であって、前記封止フィルムは、第１の腕部が前記卵包装容器の長手方向の側部を回って前記本体部の底部で端同士が接着されており、第２の腕部が前記卵包装容器の短手方向の側部を回って前記本体部の底部で端同士が接着されており、前記本体部の複数箇所と前記蓋部の複数箇所に仮止めされていることを特徴とする卵包装容器。
【請求項２】
プラスチック製の卵包装容器の本体部に鶏卵を収容し、前記卵包装容器の蓋部を閉じて、前記蓋部に十字形状の封止フィルムを載せ、前記封止フィルムの第１の腕部を前記卵包装容器の長手方向の側部に回して、前記本体部の複数箇所と前記蓋部の複数箇所に仮止めし、前記本体部の底部で端同士を接着し、前記封止フィルムの第２の腕部を前記卵包装容器の短手方向の側部に回して、前記本体部の複数箇所と前記蓋部の複数箇所に仮止めし、前記本体部の底部で端同士を接着することを特徴とする卵包装方法。
【請求項３】
鶏卵を収容する本体部と、前記本体部とヒンジ部で接続された蓋部と、前記本体部と前記蓋部とを包む帯状の封止フィルムとを具備するプラスチック製の卵包装容器であって、第１の封止フィルムは、前記卵包装容器の長手方向の側部を回って前記本体部の底部で端同士が接着されており、第２の封止フィルムは、前記卵包装容器の短手方向の側部を回って前記本体部の底部で端同士が接着されており、前記本体部の複数箇所と前記蓋部の複数箇所に仮止めされていることを特徴とする卵包装容器。
【請求項４】
プラスチック製の卵包装容器の本体部に鶏卵を収容し、前記卵包装容器の蓋部を閉じて、前記蓋部に帯状の第１の封止フィルムを載せ、前記卵包装容器の長手方向の側部に回して、前記本体部の複数箇所と前記蓋部の複数箇所に仮止めし、前記本体部の底部で端同士を接着し、前記蓋部に帯状の第２の封止フィルムを載せ、前記卵包装容器の短手方向の側部に回して、前記第１の封止フィルムと前記本体部の複数箇所と前記蓋部の複数箇所に仮止めし、前記本体部の底部で端同士を接着することを特徴とする卵包装方法。
【請求項５】
鶏卵を収容する本体部と、前記本体部とヒンジ部で接続された蓋部と、前記本体部と前記蓋部とを包む十字形状の封止フィルムとを具備するプラスチック製の卵包装容器であって、前記封止フィルムは、両側の腕部が前記卵包装容器の長手方向の側部を回って前記本体部の底部で端同士が接着されており、前記本体部の複数箇所と前記蓋部の複数箇所に仮止めされていることを特徴とする卵包装容器。
【請求項６】
プラスチック製の卵包装容器の本体部に鶏卵を収容し、前記卵包装容器の蓋部を閉じて、前記蓋部に十字形状の封止フィルムを載せ、両側の腕部を前記卵包装容器の長手方向の側部に回して、前記本体部の複数箇所と前記蓋部の複数箇所に仮止めし、前記本体部の底部で端同士を接着することを特徴とする卵包装方法。
【請求項７】
鶏卵を収容する本体部と、前記本体部とヒンジ部で接続された蓋部と、前記本体部と前記蓋部とを包む筒状の熱収縮性封止フィルムとを具備するプラスチック製の卵包装容器であって、前記熱収縮性封止フィルムは、前記本体部と前記蓋部とを包んで熱収縮されており、前記本体部の複数箇所と前記蓋部の複数箇所に仮止めされていることを特徴とする卵包装容器。
【請求項８】
プラスチック製の卵包装容器の本体部に鶏卵を収容し、前記卵包装容器の蓋部を閉じて、前記卵包装容器を筒状の熱収縮性封止フィルムに入れ、前記本体部の複数箇所と前記蓋部の複数箇所に仮止めし、前記熱収縮性封止フィルムを熱収縮させることを特徴とする卵包装方法。
【発明の詳細な説明】
【技術分野】
【０００１】
本発明は、卵包装容器に関し、特に、フィルムで包んだ卵包装容器に関する。
【背景技術】
【０００２】
従来の鶏卵包装用の容器は、鶏卵を収容するプラスチック製の本体部と、本体部にヒンジ部で接続されたプラスチック製の蓋部とからなっている。プラスチック製の卵包装容器の本体部に鶏卵を収容し、卵包装容器の蓋部を閉じる。蓋部を閉じるために、本体部の鍔部と蓋部の鍔部を係合させて融着したり、ステープラーで止めたりしている。また、苺やトマトなどの野菜類や、納豆や菓子類を包装する容器では、帯状のフィルムで包むことで、封止する方法も行われている。以下に、これに関連する従来技術の例をいくつかあげる。
【０００３】
特許文献１に開示された「食品用帯掛け機」は、弾性容器の周囲に帯状のフィルムを巻き付ける低コストの食品用帯掛け機であり、フィルムを薄くできるものである。カッターによる切断位置に、リールから連続フィルムを送る。その際、定張力化手段で連続フィルムの張力を一定にする。弾性容器の周囲に巻き付けられたフィルムの重ね合わされた両端部を、超音波融着器で超音波により融着する。
【０００４】
特許文献２に開示された「卵包装容器」は、開く方向の強い弾力を緩和させた卵包装容器である。開閉自在な身部分と蓋部分とを、折り曲げ可能な連結部分で連結する。閉じた状態において卵保持用空間を形成するように、隔壁によって仕切られた複数の凹部を設ける。連結部分に、連結部分の弾力を緩和する断続的な切れ目を設けた。
【０００５】
特許文献３に開示された「フィルム包装装置」は、簡単な構成で低コストであり、包装作業効率が良好なフィルム包装装置である。フィルムロールから繰り出されるフィルムを、搬送部で挟持して搬送する。搬送部から送られてきたフィルムを、切断部で所定幅に切断する。切断された帯フィルムの両端側を把持した状態で、被せ動作部で被包装物に被せる。被せ動作部の被せ動作位置を含む供給ラインに、被包装物供給部で被包装物を供給する。第１点当たり把持手段で、フィルムの両端側を点当たり状に押圧して解放自在に把持しつつ、搬送部と協働して、フィルムを被せ動作部側に搬送する。挟持搬送の前後の仮押さえを行い、搬送を補助する。さらに、所定長さに切断された帯フィルム両端を、第２点当たり把持機構で押さえる。これにより、上面側からの被せ動作時に、円滑に被包装物上面に被せながら、第２点当たり把持機構を離脱し帯掛けを行う。
【特許文献１】特開平08-207901号公報
【特許文献２】特開平09-040052号公報
【特許文献３】特開2005-088957号公報
【発明の開示】
【発明が解決しようとする課題】
【０００６】
しかし、従来の帯掛方法で卵包装容器に包装フィルムを被せると、次のような問題がある。卵包装容器は、鶏卵の形状に合わせて容器を凹凸にしてあるので、従来の帯掛方法では、ずれたり皺が寄ったりして、確実に綺麗に包装することができない。そのため、商品名のラベルを貼ることができないか、貼っても読みにくくなってしまう。
【０００７】
本発明の目的は、上記従来の問題を解決して、卵包装容器に、確実に綺麗に包装フィルムを被せて封止することである。
【課題を解決するための手段】
【０００８】
上記の課題を解決するために、本発明では、鶏卵を収容する本体部と、本体部とヒンジ部で接続された蓋部と、本体部と蓋部とを包む十字形状の封止フィルムとを具備するプラスチック製の卵包装容器の封止フィルムを、第１の腕部が卵包装容器の長手方向の側部を回って、本体部の底部で端同士が接着されており、第２の腕部が卵包装容器の短手方向の側部を回って本体部の底部で接着されており、前記本体部の複数箇所と前記蓋部の複数箇所に仮止めされているように構成した。
【発明の効果】
【０００９】
上記のように構成したことにより、卵包装容器に、包装フィルムを確実に綺麗に被せて封止することができるので、卵包装容器に凹凸があっても包装フィルムラベルを貼って商品名などの表示ができる。また、卵包装容器を封止するための鍔部が不要になる。
【発明を実施するための最良の形態】
【００１０】
以下、本発明を実施するための最良の形態について、図１〜図12を参照しながら詳細に説明する。
【実施例１】
【００１１】
本発明の実施例１は、鶏卵を収容したプラスチック製の本体部に蓋部を被せて、十字形状の封止フィルムの第１の腕部を長手方向の側部に回して、本体部の複数箇所と蓋部の複数箇所に仮止めし、本体部の底部で端同士を接着し、封止フィルムの第２の腕部を短手方向の側部に回して、本体部の複数箇所と蓋部の複数箇所に仮止めし、本体部の底部で端同士を接着した卵包装容器である。
【００１２】
図１は、本発明の実施例１における卵包装容器の概観図である。図１（ａ）は、平面状の部分を設けた卵包装容器である。図１（ｂ）は、平面状の部分がない卵包装容器である。図２（ａ）は、卵包装容器の横断面図である。図２（ｂ）は、卵包装容器の縦断面図である。図２（ｃ）は、十字形状の封止フィルムである。図１と図２において、本体部１は、卵を収容する部分である。蓋部２は、卵の上部を覆う部分である。ヒンジ部３は、本体部と蓋部を連結して一体化する部分である。封止フィルム４は、卵包装容器を包む十字形状のフィルムである。卵包装容器は、プラスチック製でもよいし、植物性の素材を利用したものでもよい。これらを代表してプラスチック製という。
【００１３】
図３は、卵包装容器を封止フィルムで包む処理手順を説明する図である。図３（ａ）は、開いた状態の卵包装容器である。図３（ｂ）は、鶏卵を収容して閉じた状態の卵包装容器である。図３（ｃ）は、卵包装容器に十字形状の封止フィルムを載せた状態を示す図である。図３（ｄ）は、十字形状の封止フィルムの第１の腕部を長手方向の側部に回して本体部の底部で接着した状態を示す図である。図３（ｅ）は、十字形状の封止フィルムの第２の腕部を短手方向の側部に回して本体部の底部で接着した状態を示す図である。
【００１４】
上記のように構成された本発明の実施例１における卵包装容器の製造方法を説明する。最初に、図１と図２を参照しながら、卵包装容器の概要を説明する。プラスチック製の卵包装容器の本体部１と蓋部２は、ヒンジ部３で接続されて一体化されている。本体部１に鶏卵を収容する。封止フィルム４の第１の両側の腕部を、卵包装容器の長手方向の側部に回して、本体部１の底部で端同士を接着する。第２の両側の腕部を、卵包装容器の短手方向の側部に回して、本体部の底部で端同士を接着する。接着方法は、加熱接着でもよいし、超音波接着でもよいし、高周波接着でもよいし、接着剤による接着でもよい。周知の適当な接着方法を適宜選択して適用すればよい。こうして、十字形状の封止フィルム４で、本体部１と蓋部２とを包む。
【００１５】
卵包装容器は、鶏卵の形状に合わせて作られているので、本体部１も蓋部２も凹凸がある。これにそのまま封止フィルム４を被せると、凹凸に従って皺が寄ってしまう。これを避けるために、本体部１と蓋部２の突起部分に、封止フィルム４を、剥離容易な接着剤などで仮止めする。こうすることにより、封止フィルム４に皺が寄らなくなり、綺麗に包装できる。封止フィルム４に商品名や説明書きなどのラベルを貼っても、支障無く読み取ることができる。封止フィルム４自体に商品名などを印刷してもよい。具体的には、図１（ａ）に示すように、本体部１と蓋部２に平面状の部分を設けて、封止フィルム４をそこに仮止めして、平らに維持できるようにする。このような形状の卵包装容器は、鶏卵を保持する部分の面積が小さくなるので、確実に鶏卵を保持する必要がある場合は、図１（ｂ）に示すように、鶏卵の形状に合致した形状の卵包装容器を使用する。この場合は、封止フィルム４を幅広にして、突起部に封止フィルム４を仮止めする。仮止めは、封止フィルム４がずれない程度の強さがあればよく、封止フィルム４を剥がす際に、容易に剥がれるように弱く接着する程度でよい。仮止めの箇所は、蓋部２上側４隅の４点程度と、本体部１底部４隅の４点程度でよい。
【００１６】
次に、図３を参照しながら、卵包装容器を封止フィルムで包む手順を説明する。図３（ａ）に示すような開いた状態の卵包装容器に鶏卵を収容して閉じ、図３（ｂ）に示す状態にする。図３（ｃ）に示すように、卵包装容器に十字形状の封止フィルム４を載せる。実際は自動包装機で包装するので、封止フィルム４を卵包装容器に接する状態にする作業態様は様々であるが、それらを包括して載せると表現することにする。図３（ｄ）に示すように、十字形状の封止フィルム４の第１の腕部を長手方向の側部に回して、適度な張力で本体部１と蓋部２に密着させて、本体部１の複数箇所と蓋部２の複数箇所に仮止めし、本体部１の底部で端同士を接着する。仮止めのためには、蓋部２上側４隅の４点と、本体部１底部４隅の４点に、剥離容易な接着剤を予め塗っておけばよい。次に、図３（ｅ）に示すように、十字形状の封止フィルム４の第２の腕部を短手方向の側部に回して、適度な張力で本体部１と蓋部２に密着させて、本体部１の複数箇所と蓋部２の複数箇所に仮止めし、本体部１の底部で端同士を接着する。その後、必要に応じて、封止フィルム４の上にラベルなどを貼る。
【００１７】
上記のように、本発明の実施例１では、卵包装容器を、鶏卵を収容したプラスチック製の本体部に蓋部を被せて、十字形状の封止フィルムの第１の腕部を長手方向の側部に回して、本体部の複数箇所と蓋部の複数箇所に仮止めし、本体部の底部で端同士を接着し、封止フィルムの第２の腕部を短手方向の側部に回して、本体部の複数箇所と蓋部の複数箇所に仮止めし、本体部の底部で端同士を接着した構成としたので、卵包装容器に包装フィルムを確実に綺麗に被せて封止することができる。
【実施例２】
【００１８】
本発明の実施例２は、鶏卵を収容したプラスチック製の本体部に蓋部を被せて、帯状の第１の封止フィルムを長手方向の側部に回して、本体部の複数箇所と蓋部の複数箇所に仮止めし、本体部の底部で端同士を接着し、第２の封止フィルムを短手方向の側部に回して、第１の封止フィルムと本体部の複数箇所と蓋部の複数箇所に仮止めし、本体部の底部で端同士を接着した卵包装容器である。
【００１９】
図４は、本発明の実施例２における卵包装容器の概観図である。実施例２における卵包装容器の基本的な構成は、実施例１と同じであるが、２本の帯状のフィルムを用いる点が異なる。図４（ａ）は、平面状の部分を設けた卵包装容器である。図４（ｂ）は、平面状の部分がない卵包装容器である。図５（ａ）は、卵包装容器の横断面図である。図５（ｂ）は、卵包装容器の縦断面図である。図５（ｃ）は、２本の帯状の封止フィルムである。図４と図５において、本体部１は、鶏卵を収容する部分である。蓋部２は、鶏卵の上部を覆う部分である。ヒンジ部３は、本体部と蓋部を連結して一体化する部分である。封止フィルム４は、卵包装容器を包む帯状のフィルムである。これを２本用いる。
【００２０】
図６は、卵包装容器を封止フィルムで包む手順を説明する図である。図６（ａ）は、開いた状態の卵包装容器である。図６（ｂ）は、鶏卵を収容して閉じた状態の卵包装容器である。図６（ｃ）は、卵包装容器に帯状の封止フィルムを載せた状態を示す図である。図６（ｄ）は、帯状の第１の封止フィルムを長手方向の側部に回して本体部の底部で接着した状態を示す図である。図６（ｅ）は、帯状の第２の封止フィルムを短手方向の側部に回して本体部の底部で接着した状態を示す図である。
【００２１】
上記のように構成された本発明の実施例２における卵包装容器の製造方法を説明する。最初に、図４と図５を参照しながら、卵包装容器の概要を説明する。プラスチック製の卵包装容器の本体部１と蓋部２は、ヒンジ部３で接続されて一体化されている。本体部１に鶏卵を収容する。第１の封止フィルム４を、卵包装容器の長手方向の側部に回して、本体部１の底部で端同士を接着する。第２の封止フィルム４を、卵包装容器の短手方向の側部に回して、本体部１の底部で端同士を接着する。こうして、帯状の２本の封止フィルム４で、本体部１と蓋部２とを十字形状に包む。
【００２２】
次に、図６を参照しながら、卵包装容器を封止フィルムで包む手順を説明する。図６（ａ）に示すような開いた状態の卵包装容器に鶏卵を収容して閉じ、図６（ｂ）に示す状態にする。図６（ｃ）に示すように、卵包装容器に、帯状の第１の封止フィルム４を載せる。図６（ｄ）に示すように、帯状の第１の封止フィルム４を長手方向の側部に回して、本体部１の複数箇所と蓋部２の複数箇所に仮止めし、本体部１の底部で端同士を接着する。図６（ｅ）に示すように、帯状の第２の封止フィルム４を、第１の封止フィルム４の中央部に仮止め接着し、短手方向の側部に回して、本体部１の複数箇所と蓋部２の複数箇所に仮止めし、本体部１の底部で端同士を接着する。その他の点は、実施例１と同じである。
【００２３】
上記のように、本発明の実施例２では、卵包装容器を、鶏卵を収容したプラスチック製の本体部に蓋部をかぶせて、帯状の第１の封止フィルムを長手方向の側部に回して、本体部の複数箇所と蓋部の複数箇所に仮止めし、本体部の底部で端同士を接着し、第２の封止フィルムを短手方向の側部に回して、第１の封止フィルムと本体部の複数箇所と蓋部の複数箇所に仮止めし、本体部の底部で端同士を接着した構成としたので、卵包装容器に包装フィルムを確実に綺麗に被せて封止することができる。
【実施例３】
【００２４】
本発明の実施例３は、鶏卵を収容したプラスチック製の本体部に蓋部を被せて、十字形状の封止フィルムの腕部を長手方向の側部に回して、本体部の複数箇所と蓋部の複数箇所に仮止めし、本体部の底部で端同士を接着した卵包装容器である。
【００２５】
図７は、本発明の実施例３における卵包装容器の概観図である。実施例３における卵包装容器の基本的な構成は、実施例１、２と同じであるが、十字形状の封止フィルムの２本の腕部を用いる点が異なる。図７（ａ）は、平面状の部分を設けた卵包装容器である。図７（ｂ）は、平面状の部分がない卵包装容器である。図８（ａ）は、卵包装容器の横断面図である。図８（ｂ）は、十字形状の封止フィルムである。図８（ｃ）は、封止フィルムの接着方法を示す図である。図７と図８において、本体部１は、鶏卵を収容する部分である。蓋部２は、鶏卵の上部を覆う部分である。ヒンジ部３は、本体部と蓋部を連結して一体化する部分である。封止フィルム４は、卵包装容器を包む十字形状のフィルムである。接着装置５は、封止フィルムを接着する装置である。接着台６は、封止フィルムを接着するための受け台である。
【００２６】
図９は、卵包装容器を封止フィルムで包む手順を説明する図である。図９（ａ）は、開いた状態の卵包装容器である。図９（ｂ）は、鶏卵を収容して閉じた状態の卵包装容器である。図９（ｃ）は、卵包装容器に十字形状の封止フィルムを載せた状態を示す図である。図９（ｄ）は、十字形状の封止フィルムの腕部を長手方向の側部に回して本体部の底部で接着した状態を示す図である。
【００２７】
上記のように構成された本発明の実施例３における卵包装容器の製造方法を説明する。最初に、図７と図８を参照しながら、卵包装容器の概要を説明する。プラスチック製の卵包装容器の本体部１と蓋部２は、ヒンジ部３で接続されて一体化されている。本体部１に鶏卵を収容する。封止フィルム４の長い方の両側の腕部を、卵包装容器の長手方向の側部に回して、本体部１の底部で端同士を接着する。例えば、図５（ｄ）に示す方法で接着する。こうして、十字形状の封止フィルム４で、本体部１と蓋部２とを包む。封止フィルム４の腕部の短い部分は、ラベルを貼る部分を広くするためである。また、封止フィルム４を剥がす際に容易に剥がせるように、手掛かり部分として設けた部分でもある。
【００２８】
次に、図９を参照しながら、卵包装容器を封止フィルムで包む手順を説明する。図９（ａ）に示すような開いた状態の卵包装容器に鶏卵を収容して閉じ、図９（ｂ）に示す状態にする。図９（ｃ）に示すように、卵包装容器に十字形状の封止フィルム４を載せる。図９（ｄ）に示すように、十字形状の封止フィルム４の腕部を長手方向の側部に回して、本体部の複数箇所と蓋部の複数箇所に仮止めし、本体部１の底部で端同士を接着する。その他の点は、実施例１、２と同じである。
【００２９】
上記のように、本発明の実施例３では、卵包装容器を、鶏卵を収容したプラスチック製の本体部に蓋部を被せて、十字形状の封止フィルムの腕部を長手方向の側部に回して、本体部の複数箇所と蓋部の複数箇所に仮止めし、本体部の底部で端同士を接着した構成としたので、卵包装容器に包装フィルムを確実に綺麗に被せて封止することができる。
【実施例４】
【００３０】
本発明の実施例４は、鶏卵を収容したプラスチック製の本体部に蓋部を被せて、筒状の熱収縮性封止フィルムに入れて、本体部の複数箇所と蓋部の複数箇所に仮止めし、熱収縮させて封じた卵包装容器である。
【００３１】
図10は、本発明の実施例４における卵包装容器の概観図である。実施例４における卵包装容器の基本的な構成は、実施例１〜３と同じであるが、熱収縮性封止フィルムを用いる点が異なる。図10（ａ）は、平面状の部分を設けた卵包装容器である。図10（ｂ）は、平面状の部分がない卵包装容器である。図11（ａ）は、卵包装容器の横断面図である。図11（ｂ）は、筒状の熱収縮性の封止フィルムである。図10と図11において、本体部１は、卵を収容する部分である。蓋部２は、卵の上部を覆う部分である。ヒンジ部３は、本体部と蓋部を連結して一体化する部分である。封止フィルム４は、卵包装容器を包む筒状の熱収縮性フィルムである。
【００３２】
図12は、卵包装容器を封止フィルムで包む手順を説明する図である。図12（ａ）は、開いた状態の卵包装容器である。図12（ｂ）は、鶏卵を収容して閉じた状態の卵包装容器である。図12（ｃ）は、卵包装容器を筒状の封止フィルムに入れた状態を示す図である。図12（ｄ）は、筒状の熱収縮性封止フィルムを熱収縮した状態を示す図である。
【００３３】
上記のように構成された本発明の実施例４における卵包装容器の製造方法を説明する。最初に、図10と図11を参照しながら、卵包装容器の概要を説明する。プラスチック製の卵包装容器の本体部１と蓋部２は、ヒンジ部３で接続されて一体化されている。本体部１に鶏卵を収容する。熱収縮性の封止フィルム４に、卵包装容器を入れ、加熱して熱収縮させる。こうして、筒状の熱収縮性封止フィルムで、本体部１と蓋部２とを包む。
【００３４】
次に、図12を参照しながら、卵包装容器を熱収縮性封止フィルムで包む手順を説明する。図12（ａ）に示すような開いた状態の卵包装容器に卵を収容して閉じ、図12（ｂ）に示す状態にする。図12（ｃ）に示すように、卵包装容器を筒状の熱収縮性封止フィルム４に入れる。本体部１の複数箇所と蓋部２の複数箇所に仮止めする。図12（ｄ）に示すように、筒状の熱収縮性封止フィルム４を、赤外線や熱風などで熱収縮させる。あまり強く収縮させると皺が寄るので、適度な張力になるように調節する。その他の点は、実施例１〜３と同じである。
【００３５】
上記のように、本発明の実施例４では、卵包装容器を、鶏卵を収容したプラスチック製の本体部に蓋部を被せて、筒状の熱収縮性封止フィルムに入れて、本体部の複数箇所と蓋部の複数箇所に仮止めし、熱収縮性させて封じた構成としたので、卵包装容器に包装フィルムを確実に綺麗に被せて封止することができる。
【産業上の利用可能性】
【００３６】
本発明の卵包装容器は、フィルムで包んだ卵包装容器として最適である。卵包装容器以外の食品容器などに適用することもできる。
【図面の簡単な説明】
【００３７】
【図１】本発明の実施例１における卵包装容器の概観図である。
【図２】本発明の実施例１における卵包装容器の断面図と、十字形状の封止フィルムの概念図である。
【図３】本発明の実施例１における卵包装容器を封止フィルムで包む手順を説明する図である。
【図４】本発明の実施例２における卵包装容器の概観図である。
【図５】本発明の実施例２における卵包装容器の断面図と、封止フィルムの概念図である。
【図６】本発明の実施例２における卵包装容器を封止フィルムで包む手順を説明する図である。
【図７】本発明の実施例３における卵包装容器の概観図である。
【図８】本発明の実施例３における卵包装容器の断面図と、十字形状の封止フィルムの概念図である。
【図９】本発明の実施例３における卵包装容器を封止フィルムで包む手順を説明する図である。
【図１０】本発明の実施例４における卵包装容器の概観図である。
【図１１】本発明の実施例４における卵包装容器の断面図と、封止フィルムの概念図である。
【図１２】本発明の実施例４における卵包装容器を封止フィルムで包む手順を説明する図である。
【符号の説明】
【００３８】
１  本体部
２  蓋部
３  ヒンジ部
４  封止フィルム
５  接着装置
６  接着台
【図１】
2007276858.tif 000003
【図２】
2007276858.tif 000004
【図３】
2007276858.tif 000005
【図４】
2007276858.tif 000006
【図５】
2007276858.tif 000007
【図６】
2007276858.tif 000008
【図７】
2007276858.tif 000009
【図８】
2007276858.tif 000010
【図９】
2007276858.tif 000011
【図１０】
2007276858.tif 000012
【図１１】
2007276858.tif 000013
【図１２】
2007276858.tif 000014